(57)【要約】【課題】容器体口部から放出される芳香等を、該容器体へ嵌合させたキャップが有する窓孔が放出するよう設けた、芳香等放出容器において、キャップ周壁に穿設された窓孔を開閉できるようにし、もって芳香等放出量を加減できるよう設けた。【解決手段】キャップ周壁１２外面へ筒状フィルム２２を摺動自在に嵌合させて、該摺動によりキャップ周壁へ穿設させた第１窓孔１８を開閉自在とした。【選択図】  図３
2004149159.tif 000002
【特許請求の範囲】
【請求項１】
液体揮発装置付き容器体１の胴部外周面へ、香気放出用窓孔を有するキャップの周壁下部を嵌合させた、芳香等放出容器において、
上記キャップ周壁に芳香等放出用第１窓孔１８を穿設すると共に、該周壁外面へ筒状フィルム２２を摺動自在に嵌合させ、該筒状フィルムの摺動で、上記第１窓孔１８を開閉自在に形成した
ことを特徴とする、芳香等放出容器。
【請求項２】
上記キャップ周壁の上下両部外面へ係合突条１９，１９  を周設すると共に、これ等両係合突条間の周壁部分へ第１窓孔１８を穿設し、
又上記周壁部分外面へ、第２窓孔２１付きの筒状フィルム２２を嵌合させ、
該筒状フィルムを上記周壁部分外面へ沿って摺動させ回動させることで、上記第１窓孔１８と第２窓孔２１とが重なって第１窓孔を開孔できると共に、第１窓孔と第２窓孔との位置ずれにより第１窓孔１８を閉塞可能に形成した
ことを特徴とする、請求項１記載の芳香等放出容器。
【請求項３】
上記キャップ周壁１２の上下両部外面へ係合突条１９，１９  を周設すると共に、これ等両係合突条間周壁部分の上下いずれかの一半部へ第１窓孔１８を穿設させ、
又上記周壁部分の上下一半部へ、筒状フィルム２２を上下動自在に嵌合させて、該筒状フィルムの上下動により第１窓孔を開閉可能に形成した
ことを特徴とする、請求項１記載の芳香等放出容器。
【請求項４】
上記キャップ１１に穿設する香気放出用第１窓孔を、上記キャップ周壁１２にだけ穿設した
ことを特徴とする、請求項１、２又は３記載の芳香等放出容器。
【発明の詳細な説明】
【０００１】
【発明の属する技術分野】
本発明は芳香等放出容器に関する。
【０００２】
【従来の技術】
従来種々の芳香又消臭香等放出容器が知られており、例えば特開２００１−２９９８９４  号は、容器体口頸部上端面へ載置させた吸水性パッドから容器体内へ液体吸上げ芯材を垂下させて、容器体内の芳香液等を上記芯材を介して吸水性パッドへ吸上げ、気化させている。
【０００３】
【発明が解決しようとする課題】
上記容器からの芳香等の放出は、容器体内の揮発性液体内に吸上げ芯材が浸されている間は常時行われることとなって、上記従来例であれば、キャップ等を容器体口頸部外面へ嵌合させてパッドを密封しない限り放出を継続する。
【０００４】
しかし時には芳香等放出が不要となる場合もあるから、このような場合は簡易な操作で芳香等放出を停止できることが、又芳香等の放出量を減らすことが可能であることが望ましい。
【０００５】
本発明は芳香等放出の停止、又減少等の操作が容易に行えるよう設けたものである。
【０００６】
【課題を解決するための手段】
第１の手段として、液体揮発装置付き容器体１の胴部外周面へ、香気放出用窓孔を有するキャップの周壁下部を嵌合させた、芳香等放出容器において、
上記キャップ周壁に芳香等放出用第１窓孔１８を穿設すると共に、該周壁外面へ筒状フィルム２２を摺動自在に嵌合させ、該筒状フィルムの摺動で、上記第１窓孔１８を開閉自在に形成した。
【０００７】
第２の手段として、上記第１の手段を有すると共に、上記キャップ周壁の上下両部外面へ係合突条１９，１９  を周設すると共に、これ等両係合突条間の周壁部分へ第１窓孔１８を穿設し、
又上記周壁部分外面へ、第２窓孔２１付きの筒状フィルム２２を嵌合させ、
該筒状フィルムを上記周壁部分外面へ沿って摺動させ回動させることで、上記第１窓孔１８と第２窓孔２１とが重なって第１窓孔を開孔できると共に、第１窓孔と第２窓孔との位置ずれにより第１窓孔１８を閉塞可能に形成した。
【０００８】
第３の手段として、上記第１の手段を有すると共に、上記キャップ周壁１２の上下両部外面へ係合突条１９，１９  を周設すると共に、これ等両係合突条間周壁部分の上下いずれかの一半部へ第１窓孔１８を穿設させ、
又上記周壁部分の上下一半部へ、筒状フィルム２２を上下動自在に嵌合させて、該筒状フィルムの上下動により第１窓孔を開閉可能に形成した。
【０００９】
第４の手段として、上記第１、第２、又は第３の手段を有すると共に、上記キャップ１１に穿設する香気放出用第１窓孔を、上記キャップ周壁１２にだけ穿設した。
【００１０】
【発明の実施の形態】
以下図面について説明する。まず図１から図３が示す第１実施形態について説明すると、１は液体揮発装置付きの容器体で、その容器体は胴部２上端から肩部３を介して口頸部４を起立する。その胴部の上端部は、後述キャップの周壁の下部嵌合用として小外径部２ａに形成している。
【００１１】
その容器体口頸部の内面へは、保持筒５が該保持筒上端に付設させた外向きフランジ６を口頸部上端面へ係合させて嵌合させており、該保持筒の中間部内面からは弾性包持筒７を下内方へ垂下し、該弾性包持筒内に液体吸上げ芯材８を挿通包持させてその芯材下端を容器体内底部まで垂下させている。９はその芯材上端面へ下面を接して上記外向きフランジ６上面へ載置させた吸湿材製の揮発用パッドでそれ等保持筒５と吸上げ芯材８と揮発用パッド９とで揮発装置を形成しているが、該揮発装置は公知のようにその他構造に代えることが出来る。
【００１２】
１１は、香気放出用の窓孔を有するキャップで左右方向が長く、かつ前後方向を短かくした楕円形状とし、キャップ周壁１２の下部を、既述容器体胴部２上部の小外径部２ａ外面へ嵌合させ、又頂壁１３は周壁上端一部へヒンジ１４を介し連結させて、その頂壁外周から垂下させた嵌合筒１５を周壁１２の上部外面へ着脱自在に嵌合させている。そのキャップ周壁の中間部内面からは図１が示すように複数の棒部１６を突出させてそれ等棒部１６先端で、容器体口頸部４を囲む短筒１７を保持させ、又該短筒上面を既述保持筒の外向きフランジ６上面と等高として、その短筒上面へパッド９を載置させ、かつパッド９外周面はキャップ周壁内面へ近接させている。
【００１３】
キャップ周壁１２の前後両部へは、やや傾斜させて複数の香気放出用の第１窓孔１８をほぼ等間隔に上下方向へ長く並設させている。それ等第１窓孔間の間隙は各第１窓孔１８の横巾よりもやや大としている。又キャップ周壁の上下両部外面へは、係合突条１９，１９  を周設する。但し図示例のようにキャップ頂壁の外周から嵌合筒２０を垂下させて、その嵌合筒をキャップ周壁の上端部外面へ嵌合させる場合は、その嵌合筒を、周壁上方の係合突条と兼用させてもよい。
【００１４】
上記キャップ周壁上下の係合突条１９，１９  間の周壁部分外面へは、ほぼ等間隔に複数の第２窓孔２１を穿設した筒状フィルム２２を嵌合させる。該筒状フィルムの縦巾は上記係合突条１９，１９  間の間隙とほぼ等しく設け、その両係合突条間の周壁部分外面に沿って摺動させ回動させることが可能とする。該回動により各第２窓孔２１は、各第１窓孔１８と重なり、又各第１窓孔１８を各第２窓孔間のフィルム部分等で閉塞させることが可能に設ける。
【００１５】
尚図示例ではキャップ頂壁１３にも芳香等放出用の第１窓孔１８を穿設しているが、これ等頂壁への第１窓孔は必要により設ければよい。
【００１６】
図４と図５とは第２実施形態を示す。該実施形態は容器体胴部２およびキャップ周壁１２を、左右方向横長の長方形状としているが、その他部分については後述の部分を除いて第１実施形態とほぼ同一に形成させており、同一部分については同一符号を付することで説明を省略する。
【００１７】
該第２実施形態にあっては、キャップ周壁１２に穿設させる第１窓孔１８を、キャップ周壁外面上下の係合突条１９，１９  間周壁部分の上半部に穿設している。筒状フィルム２２は第２窓孔を有しない。該筒状フィルムは、上記周壁部分の下半部に嵌合させ、該筒状フィルムを周壁部分上半部へ摺動させることで、第１窓孔１８が閉じ、又周壁部分下半まで下降させることで、上記第１窓孔１８が開くよう設けている。第１窓孔１８は上記周壁部分の下半に穿設してもよく、この場合は筒状フィルムを上方へ摺動させることで第１窓孔１８が開孔し、又下半へ引下げることで閉孔する。第１窓孔１８は横長としている。
【００１８】
既述第１、第２実施形態においては、キャップ頂壁１３にも芳香等放出用の第１窓孔１８を穿設しているが、キャップ頂壁への穿設を止めてキャップ周壁にだけ第１窓孔を穿設し、そのキャップ周壁の第１窓孔を既述のように筒状フィルム２２で開閉自在とさせてもよい。
【００１９】
又キャップ１１は、周壁１２上端一部へ、肉薄ヒンジ１４を介して頂壁１３を付設させ、肉薄ヒンジを中心とする頂壁の回動で周壁上端の開口面を開閉自在としたが、頂壁外周から周壁１２を垂下する、通常のキャップとしてもよい。
【００２０】
【発明の効果】
本発明は既述構成とするもので、請求項１記載のようにすることで、筒状フィルム２２をキャップ周壁の外面に沿って摺動させるだけで、キャップ周壁に穿設した芳香放出用の第１窓孔１８を開閉でき、又その摺動量を調整することで、第１窓孔を僅かに開いたり、閉じたりすることが出来ることとなり、よって芳香等の放出量を調整して適度の状態を保つことが容易である。
【００２１】
請求項２のようにすることで、人為的に筒状フィルム２２を回動させない限り、他物が当る等しても回動することがなく、よって第１窓孔開閉状態を確実に保持させることが出来る。
【００２２】
請求項３のようにすることで、筒状フィルムへ第２窓孔を穿設させなくともよく、又第２窓孔を穿設させないから筒状フィルムの強度を高めることが出来る。
【００２３】
請求項４のようにすることで、キャップ周壁の第１窓孔閉塞によって容器からの芳香等放出をほぼ完全に停止させることが出来、不要時における無駄な放出をなくすことが出来、芳香剤等収納液体を長期にわたって使用することが出来る。
【図面の簡単な説明】
【図１】本発明容器の半断面図である。
【図２】図１容器要部の斜視図である。
【図３】図２のキャップ周壁に設けた第１窓孔を閉塞させた状態を示す、斜視図である。
【図４】第２実施形態で示す、容器の斜視図である。
【図５】図４容器の半断面図である。
【符号の説明】
１…容器体                            １１…キャップ
１２…周壁                            １８…第１窓孔
２１…第２窓孔            ２２…筒状フィルム
【図１】
2004149159.tif 000003
【図２】
2004149159.tif 000004
【図３】
2004149159.tif 000005
【図４】
2004149159.tif 000006
【図５】
2004149159.tif 000007